(57)【要約】【課題】  予備発光時に受光感度を変更し、実際の距離撮影距離において最適な測光範囲（たとえば±２．５ＥＶ）で被写体の反射率を補正することができるストロボ撮影装置を提供する。【解決手段】  被写体照明用の発光手段と、被写体までの距離を測距する測距手段と、撮像信号の増幅率を制御する増幅率制御手段とを備え、撮影前のタイミングで被写体に対して予備発光を行い、被写体から戻ってきた戻り光を測光し、測光結果によって撮影時の発光光量を決定するストロボ撮影装置において、前記予備発光の測光時に前記測距手段出力に応じて前記増幅率制御手段を制御し、撮像信号の増幅率（受光感度）を可変にしたことを特徴とするストロボ撮影装置。【選択図】  図１
2006053493.tif 000002
【特許請求の範囲】
【請求項１】
被写体照明用の発光手段と、被写体までの距離を測距する測距手段と、撮像信号の増幅率を制御する増幅率制御手段とを備え、撮影前のタイミングで被写体に対して予備発光を行い、被写体から戻ってきた戻り光を測光し、測光結果によって撮影時の発光光量を決定するストロボ撮影装置において、
前記予備発光の測光時に前記測距手段出力に応じて前記増幅率制御手段を制御し、撮像信号の増幅率を可変にしたことを特徴とするストロボ撮影装置。
【請求項２】
被写体照明用の発光手段と、被写体までの距離を測距する測距手段と、撮像信号の増幅率を制御する増幅率制御手段とを備え、撮影前のタイミングで被写体に対して予備発光を行い、被写体から戻ってきた戻り光を測光し、測光結果によって撮影時の発光光量を決定するストロボ撮影装置において、
前記増幅率制御手段は予備発光光量と、予備発光時の絞り値と、前記測距手段出力に応じて撮像信号の増幅率を可変にしたことを特徴とするストロボ撮影装置。
【請求項３】
前記増幅率制御手段により設定される増幅率はユーザが設定する条件とは独立して設定されることを特徴とする請求項１または２記載のストロボ撮影装置。
【請求項４】
前記増幅率制御手段により設定される増幅率は予め設定された基準値と、撮影条件により変化する値に基づいて決定することを特徴とする請求項１乃至３いずれか１項記載のストロボ撮影装置。
【請求項５】
前記増幅率制御手段により設定される増幅率の上下限は、予備発光の測光値により最適な露光値を判断できる範囲に設定されていることを特徴とする請求項１乃至４いずれか１項記載のストロボ撮影装置。
【請求項６】
被写体からの反射光の測光手段を持ち、該測光手段において検知した被写体の輝度が予め設定した値を越えた場合には、予備発光を禁止することを特徴とする請求項１乃至５いずれか１項記載のストロボ撮影装置。
【請求項７】
前記測距手段により測定した被写体までの距離が、予め設定されている値に無い場合は、予備発光を禁止することを特徴とする請求項１乃至６いずれか１項記載のストロボ撮影装置。
【請求項８】
前記測距手段により被写体までの距離を測定したにも拘わらず、被写体までの距離情報が得られない場合には予め設定された増幅率で予備発光を行うことを特徴とする請求項１乃至７いずれか１項記載のストロボ撮影装置。
【請求項９】
予備発光光量可変手段を備え、前記増幅率制御手段により設定される増幅率が上下限に達した場合に前記予備発光光量可変手段により予備発光光量を変更することを特徴とする請求項５乃至８いずれか１項記載のストロボ撮影装置。
【発明の詳細な説明】
【技術分野】
【０００１】
本発明はストロボ撮影装置に関し、特に測光範囲において被写体の反射率を適正に補正
することができるストロボ撮影装置に関する。
【背景技術】
【０００２】
カメラのストロボ制御方式としてＴＴＬ調光方式が一般的に用いられている。これらＴＴＬ調光方式を採用するカメラのなかには撮影時の本発光より前に予備発光を行い、被写体からの反射光を測光して本発光のための情報、すなわち被写体の反射率などの情報を得、本発光をより最適な露光で発光するものがある。
特許文献１では多点測距装置によって測距した結果によりストロボのガイドナンバーを算出し、次にストロボ発光部で予備発光を行い、このときの光量を検出し、検出結果が多点測距装置によって測距した結果と異なる場合にガイドナンバーを減少させ、この減少させたガイドナンバーでストロボを発光させて撮影を行うことにより、正しい露出結果を得ることができるカメラが開示されている。
また特許文献２では予備発光時に被写体より戻ってくる閃光を測定する閃光測定部と、撮影レンズの焦点距離に応じて前記閃光測定部のゲインを設定するゲイン設定部とを備え、予備発光の反射光を精度良く測光することができる閃光制御装置が開示されている。
【特許文献１】特開２００３−２６２９０３公報
【特許文献２】特開２００２−３１８４１２公報
【発明の開示】
【発明が解決しようとする課題】
【０００３】
デジタルカメラの測光範囲は撮像部の性能によって制約され、測光範囲は通常±２．５ＥＶと狭くなっている。このように±２．５ＥＶという測光範囲は、標準反射板で１ｍを基準値（０ＥＶ）にした場合、０．４２ｍ〜２．３８ｍに相当するが、被写体の反射率が変わると測光範囲も変化し、たとえば反射率が標準反射板の１／４になると０．２１ｍ〜１．１９ｍとなり、撮影範囲が制約されるという問題点があった。上記従来技術では予備発光の結果に応じて本発光の感度を変更することができるが、予備発光量やその受光感度を変化させていないため、制限された撮影範囲内での補正に留まり、実際の距離撮影距離において測光範囲±２．５ＥＶで被写体の反射率を補正することはできず、最適な露光となるように制御することができないという問題点があった。
そこで本発明の課題は、予備発光時に受光感度を変更し、実際の距離撮影距離において最適な測光範囲（たとえば±２．５ＥＶ）で被写体の反射率を補正することができるストロボ撮影装置を提供することである。
【課題を解決するための手段】
【０００４】
上記課題を解決するためになされた請求項１記載の発明は、被写体照明用の発光手段と、被写体までの距離を測距する測距手段と、撮像信号の増幅率を制御する増幅率制御手段とを備え、撮影前のタイミングで被写体に対して予備発光を行い、被写体から戻ってきた戻り光を測光し、測光結果によって撮影時の発光光量を決定するストロボ撮影装置において、前記予備発光の測光時に前記測距手段出力に応じて前記増幅率制御手段を制御し、撮像信号の増幅率を可変にしたことを特徴とするストロボ撮影装置に存する。
請求項２記載の発明は、被写体照明用の発光手段と、被写体までの距離を測距する測距手段と、撮像信号の増幅率を制御する増幅率制御手段とを備え、撮影前のタイミングで被写体に対して予備発光を行い、被写体から戻ってきた戻り光を測光し、測光結果によって撮影時の発光光量を決定するストロボ撮影装置において、前記増幅率制御手段は予備発光光量と、予備発光時の絞り値と、前記測距手段出力に応じて撮像信号の増幅率を可変にしたことを特徴とするストロボ撮影装置に存する。
請求項３記載の発明は、請求項１または２記載のストロボ撮影装置であって、前記増幅率制御手段により設定される増幅率はユーザが設定する条件とは独立して設定されることを特徴とする。
【０００５】
請求項４記載の発明は、請求項１乃至３のいずれか１項記載のストロボ撮影装置であって、前記増幅率制御手段により設定される増幅率は予め設定された基準値と、撮影条件により変化する値に基づいて決定することを特徴とする。
請求項５記載の発明は、請求項１乃至４のいずれか１項記載のストロボ撮影装置であって、前記増幅率制御手段により設定される増幅率の上下限は、予備発光の測光値により最適な露光値を判断できる範囲に設定されていることを特徴とする。
請求項６記載の発明は、請求項１乃至５のいずれか１項記載のストロボ撮影装置であって、被写体からの反射光の測光手段を持ち、該測光手段において検知した被写体の輝度が予め設定した値を越えた場合には、予備発光を禁止したことを特徴とする。
請求項７記載の発明は、請求項１乃至６のいずれか１項記載のストロボ撮影装置であって、前記測距手段により測定した被写体までの距離が、予め設定されている値に無い場合は、予備発光を禁止したことを特徴とする。
請求項８記載の発明は、請求項１乃至７のいずれか１項記載のストロボ撮影装置であって、前記測距手段により被写体までの距離を測定したにも拘わらず、被写体までの距離情報が得られない場合には予め設定された増幅率で予備発光を行うことを特徴とする。
請求項９記載の発明は、請求項５乃至８のいずれか１項記載のストロボ撮影装置であって、予備発光光量可変手段を備え、前記増幅率制御手段により設定される増幅率が上下限に達した場合に前記予備発光光量可変手段により予備発光光量を変更したことを特徴とする。
【発明の効果】
【０００６】
請求項１及び２記載の発明によれば、予備発光の測光時に測距手段出力に応じて増幅率制御手段を制御し、撮像信号の増幅率を可変にしたので、予備発光による測光範囲を広げることができる。すなわち、デジタルカメラのように測光範囲がたとえば±２．５ＥＶのように狭いものにおいて、標準反射板で１ｍを基準値にした場合には測光範囲が０．４２ｍ〜２．３８ｍである。しかし、この測光範囲は被写体の反射率によって変化し、反射率が標準反射板の１／４の場合には測光範囲が０．２１ｍ〜１．１９ｍと少なくなるので、予備発光時に測距手段出力に応じて増幅率を制御することにより撮像信号の基準値を変化させる効果があり、最適な露出で撮影を行うことができる範囲が広がる。
請求項３記載の発明によれば、増幅率制御手段により設定される増幅率はユーザが設定する条件とは独立して設定されるので、ストロボ撮影装置の設定条件に左右されず、予備発光光量を測光できる。
請求項４記載の発明によれば、増幅率制御手段により設定される増幅率は予め設定された基準値と、撮影条件により変化する値とを考慮して決定したので、増幅率を効率の良い値、すなわち、制御範囲の中間値等に設定でき、また、撮影条件により変化する値の情報がない場合であっても、予め設定した基準値で制御することができる。
請求項５記載の発明によれば、増幅率制御手段により設定される増幅率の上下限を予備発光の測光値により最適な露光値を判断できる範囲に設定するので、画像処理部２６におけるノイズ発生や測光データの直線性が確保できない領域など、予備発光時の測光精度が所定以上確保できない増幅率に設定されず、所望の測光精度を得ることができる。
請求項６及び７記載の発明によれば、測距手段により測定した被写体までの距離が、予め設定されている値に無い場合は、予備発光を禁止し、また、被写体からの反射光の測光手段を持ち、該測光手段において検知した被写体の輝度が予め設定した値を越えた場合には、予備発光を禁止したので、外光が明るい場合や、被写体までの距離が遠く、予備発光が被写体まで届かない場合など、誤動作を防止することができる。
請求項８記載の発明によれば、測距手段により被写体までの距離を測定したにも拘わらず、被写体までの距離情報が得られない場合には予め設定された増幅率で予備発光を行うので、被写体までの距離情報が得られない場合であっても制限された範囲内で制御が可能となる。
請求項９記載の発明によれば、予備発光光量可変手段を備え、増幅率制御手段により設定される増幅率が上下限に達した場合に予備発光光量可変手段により予備発光光量を変更したので、制御範囲を拡大することができる。
【発明を実施するための最良の形態】
【０００７】
以下、図面等を参照しながら、本発明の実施の形態について詳しく説明する。図１は本発明にかかるストロボ撮影装置の機能ブロック図であって、１は鏡胴ユニット、２は画像入力部、３は音声入力部、４は操作部材、５は測距部（測距手段）、６はＲＯＭ、ＲＡＭ、７は記憶部、８はＳＤＲＡＭ、９はモニタ、１０は外部インターフェース、１１は音声出力部、１２はストロボ（発光手段）、１３は表示部、１４はＣＰＵである。
鏡胴ユニット１は図２に示すように、被写体の光学画像をＣＣＤに取り込むレンズ２１（ズーム、フォーカス）、メカシャッタ２２、絞り２３、およびレンズ２１、メカシャッタ２２、絞り２３を動かすための各モータ（図示せず）を駆動するモータドライバ２４を備えている。また、画像入力部２はＣＣＤ２５と取り込んだ光学画像を処理する画像処理部２６（増幅率制御手段、測光手段）とを備え、モータドライバ２４および画像処理部２６はＣＰＵ１４からの駆動指令により処理・駆動制御される。
音声入力部３は、ユーザが音声信号を入力するマイク、入力された音声信号を増幅するマイクＡＭＰ、増幅された音声信号を記録する音声記録回路からなり、操作部材４は、ユーザが操作するキー回路であり、また、測距部５は被写体までの距離を測定する装置である。
ＲＯＭ６には、ＣＰＵ１４にて解読可能なコードで記述された、制御プログラムや制御するためのパラメータが格納されている。このストロボ撮影装置の電源がオン状態になると、ＲＯＭ６に記憶されたプログラムは図示を省略したメインメモリにロードされ、ＣＰＵ１４はそのプログラムに従って装置各部の動作を制御するとともに、制御に必要なデータ等を、一時的に、ＲＡＭ６、及びＳＤＲＡＭ８に保存する。ＲＯＭ６として書き換え可能なフラッシュＲＯＭを使用することで、制御プログラムや制御するためのパラメータを変更することが可能となり、機能のバージョンアップを容易に行うことができる。
【０００８】
記憶部７は、メモリカードスロットルにメモリカードが装着されていない場合でも、撮影した画像データを記憶できるようにするためのメモリである。
ＳＤＲＡＭ８は、ＣＰＵで画像データに各種処理を施す際に、画像データを一時的に保存するものであり、保存される画像データは、例えば、ＣＣＤから、画像処理を経由して取りこんで、ホワイトバランス設定、ガンマ設定が行われた状態の「ＲＡＷ−ＲＧＢ画像データ」や輝度データ・色差データ変換が行われた状態の「ＹＵＶ画像データ」、ＪＰＥＧ圧縮された「ＪＰＥＧ画像データ」などである。
モニタ９は、撮影前の被写体の状態や撮影した画像を確認するため及びメモリカードや記憶部７等の内蔵メモリに記録した画像データを表示する、などを行うためのモニタである。
外部Ｉ／Ｏ１０は、パソコンなどの外部機器とシリアル通信を行うために、シリアルブロックの出力信号を電圧変換するための回路である。また、音声出力部１１は記録された音声信号をスピーカーから出力できる信号に変換する音声再生回路、変換された音声信号を増幅し、スピーカーを駆動するためのオーディオＡＭＰ、音声信号を出力するスピーカーからなる。
ストロボ１２は被写体に閃光を発光するためのものであり、表示部１３はダイオード等でストロボ撮影装置の状態を示すもので、たとえば、電源投入ランプ等がこれにあたる。
ＣＰＵ１４は、ＣＣＤ２５より画像処理の出力データにホワイトバランス設定やガンマ設定を行い、フィルタリング処理により、輝度データ・色差データへの変換を行う制御ブロック、装置各部の動作を制御するブロック、制御に必要なデータ等を一時的に保存するＳＲＡＭ、パソコンなどの外部機器とＵＳＢ通信を行うＵＳＢブロック、パソコンなどの外部機器とシリアル通信を行うシリアルブロック、ＪＰＥＧ圧縮・伸張を行うブロック、画像データのサイズを補間処理により拡大／縮小するブロック、画像データを液晶モニタやＴＶなどの外部表示機器に表示するためのビデオ信号に変換するＴＶ信号表示ブロック、撮影された画像データを記録するメモリカードの制御を行うメモリカードブロックを有する。
ＣＣＤ２５は、光学画像を光電変換するための固体撮像素子であり、画像処理は、画像ノイズ除去用相関二重サンプリング、増幅、ホワイトバランス調整、ディジタル信号変換回路を有し、増幅率を変化させることによって、全体の明るさを増減させることが出来る。
【０００９】
図３は画像入力部２であるＣＣＤ２５と画像処理部２６の詳細なブロックを示した図であり、画像処理部２６はフロントエンド処理部ＩＣ（Ｆ／Ｅ−ＩＣ）からなる。この画像処理部２６で画像信号の増幅率の設定を行う。
ＣＣＤ２５は、光学画像を光電変換するための固体撮像素子であり、画像処理部２６は、ＣＣＤ２５から入力するアナログの撮影データの画像ノイズ除去用相関二重サンプリングを行うＣＤＳ２６ａ、撮影データの振幅変動を検出し、出力信号を一定に保つように増幅器の利得を自動的に調整するＡＧＣ２６ｂ、アナログ信号をディジタル信号へ変換するＡ／Ｄ２６ｃ、垂直同期信号ＶＤ、水平同期信号ＨＤに基づきＣＣＤ２５及び画像処理部２６の駆動タイミング信号を発生するＴＧ２６ｄを有する。
ＡＧＣ２６ｂの設定値によって撮像されたアナログ信号の増幅率を設定でき、増幅率の設定はＣＰＵ１４からの信号によって行うことができる。
このように構成した画像処理部２６において、予備発光時は予備発光光量と設定絞りと被写体距離によって演算された増幅率に設定され、また、撮影発光時には、撮影条件に対応した増幅率に設定される。
すなわち、被写体までの距離を測距手段である測距部５で把握し、また画像情報から撮影データ全体の輝度や被写体輝度情報を得、画像処理部２６のＡＧＣ２６ｂにおける増幅率Ａまたは後述するようにストロボの予備発光量を調整することにより、被写体の距離や被写体の反射率に影響されず、所定の測光範囲（たとえば±２．５ＥＶ）で被写体の反射率を補正するためのデータを得ることができる。またこれにより、撮影時における画像処理部２６の増幅率Ａや撮影時の発光光量補正量を求めて最適な露光となるように制御することができ、被写体反射率の差によって発生する撮影画像の露出アンダーや露出オーバーを防止することができる。
【００１０】
次に予備発光量と設定絞りと被写体距離によって演算された増幅率について説明する。予備発光時における画像処理部２６の増幅率：Ａ１は、予備発光光量（ＧＮＯ）をＧ１、絞りをＦ１、被写体距離をＬ１、予め設定されている基準距離をＬ２、基準増幅率をＡ２とすると、（１）式により求めることができる。
Ｇ１＝Ｆ１＊Ｌ２（増幅率Ａ２の場合）
Ａ１＝Ａ２＊２＾（ｌｏｇ（Ｌ２／Ｌ１）／ｌｏｇ（ｓｑｒ（２）））・・・（１）
上記の演算は都度ＣＰＵを用いて演算してもよいし、或いはメモリに予めテーブルを用意して、当該テーブルから求めても良い。なお、絞りが複数存在する場合には、基準値Ｆ１（基準Ｆ値）を定め、他の絞り値Ｆｎでの増幅率Ａｎを（２）式等を用いて求めれば良い。
Ａｎ＝Ａ２＊２＾（ｌｏｇ（Ｌ２／Ｌ１）／ｌｏｇ（ｓｑｒ（２））＋ｌｏｇ（Ｆｎ／Ｆ１）／ｌｏｇ（ｓｑｒ（２）））・・・（２）
上記（１）式及び（２）式からも明らかなように、予備発光時における画像処理部２６の増幅率は、予め設定された基準値（基準距離、基準Ｆ値）に対し、撮影条件により変化する値（被写体距離、絞り値Ｆ）を考慮して定められ、また増幅率Ａ（Ａｎ）はストロボ撮影装置のユーザが操作部材４等を介して設定する設定条件（設定値）とは独立して設定される。
【００１１】
他の実施例としては、予備発光時における画像処理部２６の増幅率Ａ１を固定する代わりに予備発光光量Ｇｎを可変する方法が考えられる。この場合、（３）式に示したように予備発光光量Ｇｎを変化させることにより予備発光時における画像処理部の増幅率を可変するのと同等の制御を行うことができる。
Ｇｎ＝Ｇ１＊（ｓｑｒ（２））＾（ｌｏｇ（Ｌ２／Ｌ１）／ｌｏｇ（ｓｑｒ（２））＋ｌｏｇ（Ｆｎ／Ｆ１）／ｌｏｇ（ｓｑｒ（２）））・・（３）
更に、予備発光時における画像処理部の増幅率Ａ１と予備発光光量Ｇｎの両方を複合的に可変する方法も考えられる。この場合、上記（３）式の右辺における（ｌｏｇ（Ｌ２／Ｌ１）／ｌｏｇ（ｓｑｒ（２））＋ｌｏｇ（Ｆｎ／Ｆ１）／ｌｏｇ（ｓｑｒ（２）））の部分について、絞り値Ｆｎでの増幅率Ａｎと予備発光光量Ｇｎとに分割してそれぞれの値を求めれば良い。
たとえば、増幅率Ａｎ若しくは予備発光光量Ｇｎのいずれかのみでの制御量が１０段とした場合、増幅率Ａｎを８段、予備発光光量Ｇｎを２段の計１０とし、
Ａｎ＝Ａ２＊２＾８、Ｇｎ＝Ｇ１＊（ｓｑｒ（２））＾２・・・（４）
で制御することもできる。
このように増幅率Ａｎと予備発光光量Ｇｎとの両方を調整可能とすることにより、たとえば画像処理部２６における増幅率の設定が限界（上下限）に達した場合等に、予備発光光量を変化させることによって、制御範囲を拡大することが出来る。
なお、画像処理部２６の増幅率を可変する方法や、増幅率及び予備発光光量の両方を可変する方法のいずれを用いた場合であっても、画像処理部２６における増幅率の上下限は予備発光の測光値により最適な露光値を判断できる範囲に設定されていることは言うまでもない。すなわち、画像処理部２６におけるノイズ発生や測光データの直線性が確保できない領域など、予備発光時の測光精度が確保できなくなることを防止している。また、増幅率を可変することにより、露光の中心値を効率の良い値、すなわち制御範囲の中間値等に設定できる。
【００１２】
図４はストロボの回路ブロック図であり、４０は充電部、４１は発光制御部、４２はトリガー部、４３は発光部である。充電部４０は昇圧、電荷蓄積、蓄積電圧のフィードバック回路を含み、電源電圧を昇圧し、コンデンサーに電荷を蓄え、蓄積電圧をＣＰＵ１４に戻し、ＣＰＵ１４の充電制御信号によって充電電圧を制御している。
発光制御部４１は、ＣＰＵ１４から供給される発光制御信号のＬｏｗ→Ｈｉｇｈの変化によりトリガー部４２に信号を出力し、該トリガー部４２からトリガー信号が発光部４３に供給され、発光部での発光が始まり、充電部４０内のコンデンサーの電荷が放電され、発光を開始する。発光はＣＰＵ１４より供給される発光制御信号のＨｉｇｈ→Ｌｏｗの変化で停止し、発光制御信号がＨｉｇｈとなっている時間幅で発光光量が制御される。なお、通常、発光制御部４１には発光制御用素子として絶縁ゲートバイポーラトランジスタ（ＩＧＢＴ：Insulated Gate Bipolar Transistor）及びサイリスタ等が用られる。また、撮影に必要な発光光量、すなわち、発光制御信号のＨｉｇｈとなっている時間幅は、被写体までの距離、絞り、画像増幅率によって求められ、ＲＯＭ等のメモリに予めテーブルとして記憶されている。なお、充電電圧の制御は、図示を省略するが、たとえば、充電部４０内のコンデンサーの充電電圧を分圧し、Ａ／Ｄ変換した後、ＣＰＵ１４で監視すればよい。なお、請求項において、予備発光光量可変手段とはＣＰＵ１４からなり、該ＣＰＵ１４から出力される発光制御信号により発光制御部４１が制御されて予備発光光量が可変される。
上記のようなストロボ１２を用いて予備発光を行い、その際、ＣＣＤ２５より受光した測光結果から基準測光量（１８％の標準反射率の反射光量）に対する差（予備発光の測光値の適正測光量からの差ΔＥＶ）を把握し、更に予め設定されている係数：Ｋを基準測光量に対する差に加味し、撮影時のストロボ発光光量として補正を行い、ストロボ撮影を行えば、被写体の反射率の差に対する、適正ストロボ発光光量を得ることができる。
補正前のストロボ発光光量：Ｇは、被写体距離：Ｌ、絞り：Ｆ、撮影増幅率：Ａより下記（５）式で求まる。
Ｇ＝Ｆ＊Ｌ  （増幅率Ａ）・・・（５）
また一方、補正後の撮影光量Ｇｘは、上記予備発光により得た基準測光量に対する差ΔＥＶ及び係数Ｋによる補正値をΔＥＶ＊Ｋとすると下記（６）式により求まる。
Ｇｘ＝Ｇ＊ｓｑｒ（２）＾（ΔＥＶ＊Ｋ）・・・（６）
なお、係数ＫはΔＥＶの値によって変化する係数とし、ＲＯＭ等のメモリに予めテーブルとして記憶しておくことにより反射率の状態に対応して補正量を変えることができる。
【００１３】
図５は本発明にかかるストロボ撮影装置における予備発光を用いた光量補正のフローを示す図である。
まず、ストロボ撮影を開始すると、撮影増幅率、絞り、輝度、自動ホワイトバランス（ＡＷＢ）、被写体距離などの撮影情報を読込み（ステップＳ１）、撮影開始を待つ。撮影情報を読み込んだ後、撮影が開始されると（ステップＳ２でＹＥＳ）、被写体までの距離、輝度、被写体輝度情報から予備発光による光量補正処理が必要か否かを判断し（ステップＳ３）、予備発光による光量補正処理が不要と判断した場合（ステップＳ３でＮＯ）には、補正量“０”を設定する（ステップＳ１１）。この予備発光による光量補正処理が不要と判断する基準は、たとえば測光手段である画像処理部２６において検知した被写体の輝度が予め設定した値を越えた場合や、測距手段により測定した被写体までの距離が予め設定された値にない場合や、何らかの理由により測距手段から被写体距離情報が得られない場合等である。
一方、輝度、被写体輝度情報から予備発光による光量補正処理が必要と判断した場合（ステップＳ３でＹＥＳ）には予備発光光量、絞り、被写体距離の各情報から、上記（１）〜（４）式に関連して説明した方法で予備発光の増幅率及び予備発光量を設定し（ステップＳ４）、予備発光（ステップＳ５）、反射光の測光（ステップＳ６）を行う。
その後、測光結果から、撮影時のストロボ発光光量の補正量ΔＥＶを求める（ステップＳ７）。また、撮影時におけるＡＤＣ２６ｂの増幅率を設定する（ステップＳ８）。上記（５）式に示したような補正前の発光光量ＧはＡＤＣ２６ｂに設定した増幅率Ａと絞りＦと被写体距離Ｌと露出補正量などから求めた値であって、予備発光を行い、被写体からの反射光を測定すると共に、撮影時における増幅率を設定し、かつ補正値ΔＥＶ及び係数Ｋにより（６）式に示すように補正した撮影光量Ｇｘを得（ステップＳ９）、ストロボ撮影を行う（ステップＳ１０）。
なお、ステップＳ３にて予備発光による光量補正処理が必要と判断した場合（ステップＳ３でＹＥＳ）であるにも拘わらず、被写体までの距離情報を測距手段より得られない場合には、予め設定した増幅率をステップＳ４にて設定し、予備発光が行われる。
【００１４】
上記のように、本発明にかかるストロボ撮影装置によれば、被写体までの距離を測距手段である測距部５で把握し、また画像情報から撮影データ全体の輝度や被写体輝度情報を得、画像処理部２６のＡＤＣ２６ｂにおける増幅率Ａまたは後述するようにストロボの予備発光量を調整することにより、被写体の距離や被写体の反射率に影響されず、所定の測光範囲（たとえば±２．５ＥＶ）で被写体の反射率を補正するためのデータを得ることができ、撮影時における画像処理部２６の増幅率Ａや撮影時の発光光量補正量を求めることができ、最適な露光となるように制御することができ、被写体反射率の差によって発生する、撮影画像の露出アンダーや露出オーバーを防止することができる。
【図面の簡単な説明】
【００１５】
【図１】本発明にかかるストロボ撮影装置の機能ブロック図である。
【図２】本発明にかかるストロボ撮影装置の鏡胴ユニット及び画像入力部の機能ブロック図である。
【図３】本発明にかかるストロボ撮影装置のＣＣＤ２５と画像処理部２６の詳細なブロックを示した図である。
【図４】本発明にかかるストロボ撮影装置のストロボの回路ブロック図である。
【図５】本発明にかかるストロボ撮影装置における予備発光を用いた光量補正のフローを示す図である。
【符号の説明】
【００１６】
５  測距部（測距手段）
１２  ストロボ（発光手段）
１４  ＣＰＵ（予備発光光量可変手段）
２６  画像処理部（増幅率制御手段、測光手段）
【図１】
2006053493.tif 000003
【図２】
2006053493.tif 000004
【図３】
2006053493.tif 000005
【図４】
2006053493.tif 000006
【図５】
2006053493.tif 000007